(57)【要約】【課題】ゴルフバックに収納されるゴルフクラブのヘッドおよびシャフトを保護するためのヘッドカバーを提供すること。【解決方法】クラブをカバーの上部に出し入れ出し入れできるように、上部が開口されながらヘッドが収納される空間の確保のためにプラスチックの材料で傘骨うに構成した支持骨の加担に接続骨を一体にして、その外側面にカバー紙を形成した後、上部が開口したヘッドカバーに結合し、なお、接続骨にはシャフトの収納および支持のための保護管を結合する。
2004501689.tif 000002
【特許請求の範囲】
【請求項１】
ヘッドカバーの上部が開口した状態でその下方にシャフト保護管を結合するようにし、クラブを上部から入れたり取り出すことが出来るようにすることを特徴とするゴルフクラブ保護用カバー。
【請求項２】
前記ヘッドカバーは、上部に複数の支持骨を形成し、該支持骨の下部に接続骨を形成しシャフト保護管に結合されるようにしたことを特徴とする請求項１に記載のゴルフクラブ保護用カバー。
【請求項３】
前記ヘッドカバーの支持骨および接続骨にはその外側面にカバーシートを形成することを特徴とする請求項１または２に記載のゴルフクラブ保護用カバー。
【請求項４】
前記支持骨が筒タイプよりなることを特徴とする請求項２に記載のゴルフクラブ保護用カバー。
【請求項５】
上部の開口したヘッドカバーの開口部の境界に、弾性力のある弾性枠が形成されることを特徴とする請求項１に記載のゴルフクラブ保護用カバー。
【請求項６】
ヘッドカバーが形成され保護管が結合した状態で、その結合部分に装飾カバーが形成されることを特徴とする請求項１に記載のゴルフクラブ保護用カバー。
【請求項７】
保護管および接続骨の結合する部分の下端に羽を有するスリーブ形成されることを特徴とする請求項１に記載のゴルフクラブ保護用カバー。
【請求項８】
弾性枠が形成された中央の開口した部分を蓋布または引き縛り紐を用いて開閉されるようにしたことを特徴とする請求項５に記載のゴルフクラブ保護用カバー。
【発明の詳細な説明】
【０００１】
【発明の属する技術分野】
本発明は、ゴルフクラブに収納されるゴルフクラブのヘッドおよびシャフトを保護するためのヘッドカバーに係り、より詳しくはヘッドカバーの上部が開口した状態でクラブを上部から入れたり取り出すことができるようにするゴルフクラブ保護用カバーに関する。
【０００２】
【従来の技術】
通常のゴルフバックは、ゴルフバックに保管の際、クラブをバックに形成された２等分または３等分された仕切りに収納することにより、収納されたゴルフクラブのヘッドが勝手に動くので、クラブ同士の衝突によるヘッドの損傷を招いた。なお、シャフトの出し入れの際、クラブ同士の絡み合いによりクラブの出し入れが容易ではなかったため、無理に出し入れした場合は、シャフトのグリップが損傷してしまうという問題があった。
【０００３】
したがって、クラブヘッドの保護のためには、通常は、スパン機能を有する織物で作られた覆いなどをヘッドに被せてヘッドを保護している。
【０００４】
しかしながら、かかる覆いは上部から被せた後は、使用の際、それを取らなければならないので、ゴルファーにとってそのようなことは非常に煩わしく且つ不便なものであった。
【０００５】
また、通常、シャフトのグリップがシャフトに比べその直径が大きいので、収納されるとき、直下方の所に位置されない場合は、絡み合ってしまい、グリップが損なわれてしまうという問題点があった。
【０００６】
【発明が解決しようとする課題】
本考案は、上記の問題点を解決するために案出されたものであって、クラブをカバーの上部に出し入れできるように、上部が開口されながらヘッドが収納される空間の確保のためにプラスチックの材質で傘骨のように構成した支持骨の下端に接続骨を一体にして、その外側面にカバーシートを形成した後、上部が開口したヘッドカバーに結合し、なお接続骨にはシャフトの収納および支持のための保護管を結合したものである。
【０００７】
【課題を解決するための手段】
【発明の実施の形態】
以下、添付の図面を参照して本発明の好適な一実施例を詳細に説明する。図１〜図７に示すように、本発明は、上側にまたがる複数の支持骨１をその下方に延長した接続骨２とに保護管３が結合し、前記支持骨１と接続骨２とは、その外側面がカバーシート４、４ａで覆われ、そのように覆われた状態で上部の開口したヘッドカバー５に結合する構造をなしている。
【０００８】
この際、接続骨２と保護管３とが結合する部位に、いずれか一方または両方にその一方にその１側が狭くなる羽６を持つスリーブを形成すると、スリーブ７の羽６によってゴルフクラブのシャフトは直下方に位置され、出入りの際に円滑に移動し、流動を防ぐと共に保護管３とは直接摩擦しないようになる。
【０００９】
また、かかるスリーブ７は保護管３の下端に位置するようにしても良く、又は様々な所に移動させ使用することもできる。
【００１０】
また、前記支持骨１は６〜８本の骨を傘の親骨のように構成し、曲がりやすくすることでカバー４、４ａによって覆われやすくし、支持骨１の外側を覆うカバーシート４は様々なものを使用しうるが、裏地側、すなわち内側に被せられる織物４ａはベルベットや絨毯などの生地を使用するようにし、クラブの損傷を最小化した。なおこの場合、スポンジなどの緩衝材を使用してもよい。
【００１１】
また、前記支持骨１は骨に限らず柔軟な材質の筒で製作でき、かかる筒にしての製作はブロー（ｂｌｏｗ）成型による一体型に製作することができる。
【００１２】
また、支持骨１の内外側を覆うカバーシート４、４ａは接続骨２に結合するシャフト保護管３を接続骨２の外側で接するようにする場合は、内側を覆うカバーシート４ａを接続骨２の外側に取り出して固定した後、別途の装飾カバー８を保護管３の外側に嵌めて固定することにより、装飾カバー８によってカバーシート４、４ａをきれいに覆うことができる。また、保護管３は透明または有色で形成しても良く、別途の生地で覆っても良い。
【００１３】
一方、ゴルフバックには、保護管３を出入り可能にする複数の穴の形成された円板１００を備え、該円板１０の穴９の直下方にはその先端に突出部１２を有する突出管１１を形成し、前記突出管１１の突出部にはスプリング１３を設けた後、該スプリング１３の上部に保護管３が位置するようにし、カバーに収納されたゴルフクラブをバックに収納された状態で取り出すとき、ゴルフカバーを下方に持っていくとスプリングが加圧され、ゴルフクラブが上部に露出するようになる。
【００１４】
また、ヘッドカバー５の開口した部分には、折りこまれる蓋１５を形成し長時間使用しない場合は、蓋１５を用いて開口部１６を塞ぐことでホコリなどの異物質が流入されるのを防止できる。
【００１５】
この際、蓋１５を固定するためには、バルクロパスナやチャックなどを使用しうる。また、使用しない場合は該蓋１５を引き締めヒモを用いて上部から引き締めることでホコリなどの流入を防止できる。
【００１６】
また、ヘッドカバー５の開口した部分の境界にはその上側に弾性枠１７を形成しクラブの出し入れを容易にし、クラブを入れるときに勝手に抜け出さないようにし、使用途中において繰り返して使用されるクラブに関しては、弾性枠１７の上部にクラブが位置するようにして使用できるようにする。かかる弾性枠１７は２段で形成して使用することができる。
【００１７】
上記のように構成された本考案は、ヘッドカバー５の上部が開口しているので、ゴルフクラブの収納が容易となり、保護管３の一地点には入り口が狭く形成されたスリーブ７によりグリップの部分の出入りが正確に上下移動されると共に、保管の際には、シャフトの流動が生じないという長所を有する。
【００１８】
【発明の効果】
前述のように、本発明は、ゴルフクラブをカバーの上部から出し入れすることにより使用しやすくなると共に、かかるカバーがプラスチックで成型されることによりクラブの保管が容易となる。
【図面の簡単な説明】
【図１】
支持骨の形成された接続骨に保護管が連結される状態を示す図面である。
【図２】
カバーシートの装着された状態を示す図である。
【図３】
装飾カバーの装着された状態を示す図である。
【図４】
枝管がカバーシートに覆われた状態を示す図である。
【図５】
枝管の代用として筒を用いた状態を示す斜視図である。
【図６】
筒がカバーシートに覆われた状態を示す図である。
【図７】
使用状態の一例を示す図である。
【図８】
本発明の斜視図を示す図である。
【符号の説明】
１　　支持骨
２　　接続骨
３　　保護管
４　　カバーシート
５　　ヘッドカバー
６　　羽
７　　スリーブ
８　　装飾カバー
１５　蓋
１６　開口部
１７　弾性枠
【図１】
2004501689.tif 000003
【図２】
2004501689.tif 000004
【図３】
2004501689.tif 000005
【図４】
2004501689.tif 000006
【図５】
2004501689.tif 000007
【図６】
2004501689.tif 000008
【図７】
2004501689.tif 000009
【図８】
2004501689.tif 000010
【国際公開パンフレット】
2004501689.tif 000011
2004501689.tif 000012
2004501689.tif 000013
2004501689.tif 000014
2004501689.tif 000015
2004501689.tif 000016
2004501689.tif 000017
2004501689.tif 000018
2004501689.tif 000019
2004501689.tif 000020
2004501689.tif 000021
2004501689.tif 000022
2004501689.tif 000023
2004501689.tif 000024
2004501689.tif 000025
【手続補正書】
【提出日】平成14年9月19日(2002.9.19)
【手続補正１】
【補正対象書類名】明細書
【補正対象項目名】全文
【補正方法】変更
【補正の内容】
【発明の詳細な説明】
【書類名】明細書
【発明の名称】ゴルフクラブ保護用カバー
【特許請求の範囲】
【請求項１】ヘッドカバー（５）の上部が開口した状態でゴルフクラブの出し入れを容易にするヘッドカバー（５）において、
前記ヘッドカバー（５）は、扇形に広がる支持骨（１）と、その下方に一体となっている接続骨（２）と、前記接続骨（２）に結合されるシャフト保護管（３）と、前記支持骨（１）の収縮により支持骨（１）に被せられる上広下狭の形のカバーシート（４、４ａ）とを含んでなり、
前記シャフト保護管（３）は、ゴルフバック（１００）に装着された円板（１０）の穴（９）の直下方の先端に凸部を持つ突出管（１１）に安着したスプリング（１３）の上部に安着し、ヘッドカバー（５）を下方に降ろすと、保護管（３）がスプリング（１３）を加圧しながら下降し、ヘッドカバー（５）に収納されたゴルフクラブのヘッドが外部に露出することを特徴とするゴルフクラブ保護用カバー。
【請求項２】前記カバーシート（４、４ａ）の上端には弾性枠（１７）が形成されることを特徴とする請求項１記載のゴルフクラブ保護用カバー。
【発明の詳細な説明】
【０００１】
【発明の属する技術分野】
本発明は、ゴルフバックに収納されるゴルフクラブのヘッドおよびシャフトを保護するためのゴルフバックに装着されるヘッドカバーに係り、特にヘッドカバーの上下移動でゴルフクラブが外部に露出したり、または収納されたりするもので、また、ヘッドカバーは「上広下狭」の形をしており、上端が開口した状態においてもカバーシートとの結合が容易に行われるものである。
【０００２】
【従来の技術】
通常のゴルフクラブは、ゴルフバックに保管の際、ゴルフバックには２等分または３等分された仕切りが形成されており、ゴルフクラブの収納された状態で、ある程度クラブを番号順に整列することが可能となっている。
【０００３】
しかし、このように整列されるとき、ゴルフバックに収納されるゴルフクラブのクラブヘッドは全て上部の方に位置し、それぞれのクラブが自由に遊動するため、各クラブヘッド同士間の衝突によりクラブヘッドが損傷するばかりか、ゴルフクラブのシャフトの絡み合いまでも招いてしまう。また、グリップの材質として、スイングのとき手からの滑りを防ぐために粘性のあるゴムなどの材質を使用するということを鑑みれば、かかるシャフトの絡み合いはクラブの出し入れを難しくするのである。
【０００４】
したがって、クラブヘッドを保護するには、通常、ゴルフクラブのヘッドカバーを被せた状態で、各シャフトのための収納空間がそれぞれ区切られたゴルフバックが提案され、かかる問題点を解決していた。
【０００５】
しかし、ドライバやウッドなどのクラブヘッドの保護のために用いられるヘッドカバーは、通常、伸縮性のある織物で作られたカバーをヘッドに被せてヘッドを保護している。それで、フィールドに出て繰り返して使用する場合、使用の前、上方に引っ張り外してからそのヘッドカバーを別途保管した後、使用した後、再び被せるという不便さがあった。なお、普通の場合、ヘッドの損傷を避けられず、このようなクラブの損傷は、ゴルファーにとって心痛いことであった。
【０００６】
そこで、最近はクラブヘッドの上部において、クラブの出し入れを容易にするためにヘッドカバーの上端が開口した形のものが提案されている。しかし、これらは全てヘッドカバーがゴルフバックから分離された状態で使用されており、ヘッドカバーの出し入れの不便さのみを解消しただけで、ゴルフバックに付着した状態で使用するには便利ではなかった。また、これらは通常、型の形を維持するための弾性体などを付着した部厚い織物でなるものの上部を開口したり、硬い材質のクラブカバーの上端を開口したりすることで、容量が大きくなるので、保管上において極めて不便であった。また、これらのクラブヘッドを上部から出し入れ可能にするためには、ヘッドカバーの形は全て上部は広くて下部は狭い、いわゆる「上広下狭」の形をとるべきであり、このような状態では、クラブヘッドを保護するための別途のカバーシートを結合させることが困難であるという問題点があって、現実的で実質的な使用ができなかった。
【０００７】
【発明が解決しようとする課題】
本考案はかかる従来の問題点を解決するために案出されたもので、その目的はヘッドカバーの上部からのゴルフクラブの出し入れのために上広下狭の形を持つヘッドカバーにおいて、多数の支持骨を扇形に広がるようにして弾性により支持骨のカバーシートへの挿入を容易にし、前記支持骨の下端に接続骨を一体に形成し、前記接続骨を、ゴルフバックに装着された円板の突出板に内蔵されたスプリングに弾力支持されるシャフト保護板と結合させ、前記スプリングの弾力により、ヘッドカバーの上部からのゴルフクラブの出し入れを容易にしたゴルフクラブ保護用カバーを提供することにある。
【０００８】
【課題を解決するための手段】
上記目的を達成するための本発明のゴルフクラブ保護用カバーは、ヘッドカバーの上部が開口した状態でゴルフクラブの出し入れを容易にするヘッドカバーにおいて、前記ヘッドカバーは、扇形に広がる支持骨と、その下方に一体となっているた接続骨と、前記接続骨に結合されるシャフト保護管と、前記支持骨の収縮により支持骨に被せられる上広下狭の形のカバーシートとを含んでなり、前記シャフト保護管は、ゴルフバックに装着された円板の穴の直下方の先端に凸部を持つ突出管に安着したスプリングの上部に安着し、ヘッドカバーを下方に降ろすと、保護管がスプリングを加圧しながら下降し、ヘッドカバーに収納されたゴルフクラブのヘッドが外部に露出することを特徴とする。
【０００９】
【発明の実施の形態】
以下、添付の図面を参照して本考案の好適な一実施例を詳細に説明する。
本考案の構成は図１〜図７に示すように、複数の支持骨（１）が上方に広がり、前記支持骨（１）は内側および外側に結合手段を備えた接続骨（２）に一体に連結され、前記支持骨（１）には下方に長く延設される保護管（３）が結合される。また、前記保護管（３）は該保護管（３）が挿入されるようにゴルフバック（１００）の所定の位置に装着された円板（１０）の穴（９）に挿入され、前記円板（１０）の穴（９）の直下方の先端には凸部（１２）を持つ突出管（１１）が形成され、前記凸部（１２）にはスプリング（１３）が安着し、その上部に保護管（３）が弾性的に安着する。なお、支持骨（１）が収縮した状態で織物からなるカバーシート（４）、（４ａ）の狭い部分に挿入され、次いで支持骨（１）が広がるとカバーシートに結合されるようになる。
【００１０】
この際、接続骨（２）および保護管（３）が結合された部位に、上側や下側、または両側に一端が狭くなると伸縮性を有する羽（６）の形成されたスリーブ（７）を形成すれば、ゴルフクラブのシャフトは前記スリーブ（７）の羽（６）により、下方に向かって直立に正確に位置され、ゴルフバック（１００）からの出し入れの時に円滑な移動が可能となり、ゴルフバック（１００）に入れられた状態では遊動を防止すると共に保護管（３）との直接な摩擦が起こらないようになる。
【００１１】
また、かかるスリーブ（７）は保護管（３）の下端に位置させても良く、または様々な場所に位置させて使用することもできる。
【００１２】
また、前記支持骨（１）は６〜８本の骨を傘の親骨のように構成し、曲がり易くしてカバーシート（４）、（４ａ）で被せられ易くし、支持骨（１）の外側に被せられるカバーシート（４）は様々なものを使用し得るが、裏地側、すなわち内側に被せられるカバー（４ａ）はベルベットや絨毯などの生地を使用するようにし、クラブの損傷を最小化した。なお、カバーシート（４）、（４ａ）の内側面には緩衝材のスポンジなどを重ね当てて使用しても良い。
【００１３】
また、保護管（３）は透明または有色に形成しても良く、別途の生地で被せることもできる。
【００１４】
また、ヘッドカバー（５）の上端の開口した部分の縁部に沿って内側へ弾性枠（１７）を形成し、これにより頻繁に使用されるクラブのヘッドが、弾性枠（１７）に引っかけられ、ヘッドカバー（５）の内部に入れられるのを防止し、また、入れられた場合に任意に抜け出されないようにする。
【００１５】
この際、弾性枠（１７）は、支持骨（１）が内皮と外皮との間に挟まれるカバーシート（４、４ａ）の上端に縫製手段により縫着して形成される。
【００１６】
また、クラブを長時間使用しない場合には、クラブの保護のために、かかるカバーシートの上端に、蓋（１５）を用いて開口部（１６）を塞ぐことによりホコリなどの異物の混入を防止する。
【００１７】
この際、蓋（１５）を固定するためには、公知の手段であるファスナー、ジッパーまたは締め紐などを使用することができる。
【００１８】
したがって、ゴルフクラブを使用するためにゴルフバック（１００）に収納されている状態でヘッドカバー（５）を下方に降ろすと、ヘッドカバー（５）の保護管（３）が、ゴルフバック（１００）に装着された円板（１０）の穴（９）の直下方の先端に凸部（１２）を持つ突出管（１１）に安着しているスプリング（１３）の上端に位置するので、保護管（３）がスプリング（１３）を加圧しながら下降し、ヘッドカバー（５）に収納されているゴルフクラブのヘッドが外部に露出することになり、クラブを上方から取り出すことが容易になる。
【００１９】
【発明の効果】
このように構成された本考案は、ヘッドカバー（５）の上部が開口しているので、ゴルフクラブの出し入れが容易であり、保護管（３）のある地点においては、入口が狭くなっているスリーブ（７）により、グリップ部の出入りが正確に上下移動され、保管時には、シャフトが遊動しないという長所がある。
【図面の簡単な説明】
【図１】接続骨に支持骨が形成されている状態を示す斜視図である。
【図２】支持骨が収縮しながらカバーシートに被せられる状態を示す斜視図である。
【図３】保護管がゴルフバックに装着されている状態を示す断面図である。
【図４】保護管がゴルフバックに装着されている他の状態を示す断面図である。
【図５】カバーシートが被せられた支持骨の下部の接続骨に保護管が結合される状態を示す断面図である。
【図６】支持骨にカバーシートが被せられた他の状態を示す断面図である。
【図７】カバーシートに弾性枠が縫着された状態を示す斜視図である。
【符号の説明】
１  支持骨
２  接続骨
３  保護管
４、４ａ  カバーシート
５  ヘッドカバー
６  羽
７  スリーブ
９  穴
１０  円板
１１  突出管
１２  凸部
１３  スプリング
１５  蓋
１６  開口部
１７  弾性枠
１００  ゴルフバック
【手続補正２】
【補正対象書類名】図面
【補正対象項目名】全図
【補正方法】変更
【補正の内容】
【図１】
2004501689.tif 000026
【図２】
2004501689.tif 000027
【図３】
2004501689.tif 000028
【図４】
2004501689.tif 000029
【図５】
2004501689.tif 000030
【図６】
2004501689.tif 000031
【図７】
2004501689.tif 000032
【国際調査報告】
2004501689.tif 000033